(57)【特許請求の範囲】
【請求項１】
バルブ撮影の開始に伴って、設定された時間ごとに画像データを出力する撮像部と、
上記画像データが出力されるたびに、当該バルブ撮影の開始以降に出力された画像との加算画像を生成する加算演算部と、
上記加算画像が生成されるたびにそれを表示する表示部と、
を具備し、
上記表示部は、上記バルブ撮影の開始直後には、バルブ撮影が開始されたことを告知する情報を表示し、上記加算画像を表示する際には上記バルブ撮影の開始直後より小さな形態でバルブ撮影の実行中を告知する情報を表示することを特徴とする撮像装置。
【請求項２】
バルブ撮影の開始に伴って、設定された時間ごとに画像データを出力し、上記画像データが出力されるたびに、当該バルブ撮影の開始以降に出力された画像との加算画像を生成し、上記加算画像が生成されるたびにそれを表示するようにした撮像装置の制御方法において、当該バルブ撮影の開始直後にはバルブ撮影が開始されたことを告知する情報を表示し、上記加算画像を表示する際には上記バルブ撮影の開始直後より小さな形態でバルブ撮影の実行中を告知する情報を表示することを特徴とする撮像装置の制御方法。
【発明の詳細な説明】
【技術分野】
【０００１】
本発明は、撮像装置および撮像装置の制御方法に関し、詳しくは、バルブ撮影等の長時間撮影において露光の進展度に応じた被写体画像を表示可能な撮像装置および撮像装置の制御方法に関する。
【背景技術】
【０００２】
一般に、星空や花火、夜景等の被写体を撮影する場合にはバルブ撮影を利用することが多い。ただ、バルブ撮影は撮影対象や周囲条件に応じて適切な露光秒時（シャッタ開からシャッタ閉までの時間）が様々であり、撮影者は自身の判断で出来上がりの画像を見ることなく、露光時間を決めなければならなかった。そのため、その判断を誤ると露光不足、露光過多になってしまうという問題があった。
【０００３】
そこで、バルブ撮影等の際に、露光に応じて撮影画像を観察できると、リアルタイムで露光レベルを観察することができ、露光時間の判断が容易になる。例えば、特許文献１には、撮像動作中に、所定の時間間隔(例えば、１／１０秒)で撮像素子から画素信号を取り出し、順次加算した画像を液晶モニタに表示する撮像装置が開示されている。
【先行技術文献】
【特許文献】
【０００４】
【特許文献１】特開２００５−１１７３９５号公報
【発明の概要】
【発明が解決しようとする課題】
【０００５】
特許文献１に記載の撮像装置によれば、露光の進み具合を確認することができるので、バルブ撮影でも大きな失敗を防ぐことができる。しかし、バルブ撮影は、比較的長時間に及び、画像が更新されるまでは、表示画像に変化もないので、その間ずっと表示画面を見ているのは苦痛である。また、バルブ撮影の開始時には最初の画像が表示されるまでは画面に何も表示されないので、撮影者はバルブ撮影による露光が開始したか否か不安になってしまう。
【０００６】
本発明は、このような事情を鑑みてなされたものであり、バルブ撮影等の長時間露出において、撮影者が苦痛なく観察でき、また露光動作が開始したことを撮影者が認識できるようにした撮像装置および撮像装置の制御方法を提供することを目的とする。
【課題を解決するための手段】
【０００７】
上記目的を達成するため第１の発明に係わる撮像装置は、バルブ撮影の開始に伴って、設定された時間ごとに画像データを出力する撮像部と、上記画像データが出力されるたびに、当該バルブ撮影の開始以降に出力された画像との加算画像を生成する加算演算部と、上記加算画像が生成されるたびにそれを表示する表示部と、を具備し、上記表示部は、上記バルブ撮影の開始直後には、バルブ撮影が開始されたことを告知する情報を表示し、上記加算画像を表示する際には上記バルブ撮影の開始直後より小さな形態でバルブ撮影の実行中を告知する情報を表示する。
【０００９】
第２の発明に係わる撮像装置の制御方法は、バルブ撮影の開始に伴って、設定された時間ごとに画像データを出力し、上記画像データが出力されるたびに、当該バルブ撮影の開始以降に出力された画像との加算画像を生成し、上記加算画像が生成されるたびにそれを表示するようにした撮像装置の制御方法において、当該バルブ撮影の開始直後にはバルブ撮影が開始されたことを告知する情報を表示し、上記加算画像を表示する際には上記バルブ撮影の開始直後より小さな形態でバルブ撮影の実行中を告知する情報を表示する。
【発明の効果】
【００１１】
本発明によれば、バルブ撮影等の長時間露出において、撮影者が苦痛なく観察でき、また露光動作が開始したことを撮影者が認識できるようにした撮像装置および撮像装置の制御方法を提供することができる。
【図面の簡単な説明】
【００１２】
【図１】本発明の一実施形態に係わるデジタル一眼レフカメラを背面から見た外観斜視図である。
【図２】本発明の一実施形態に係わるデジタル一眼レフカメラの電気系の全体構成を示すブロック図である。
【図３】本発明の一実施形態に係わるデジタル一眼レフカメラにおいて、バルブモード等の撮像および表示に関連する構成を抽出して示したブロック図である。
【図４】本発明の一実施形態におけるパワーオンリセットの動作を示すフローチャートである。
【図５】本発明の一実施形態における更新時間入力の動作を示すフローチャートである。
【図６】本発明の一実施形態における撮影動作を示すフローチャートである。
【図７】本発明の一実施形態における露光動作を示すフローチャートである。
【図８】本発明の一実施形態におけるバルブモード撮影時の表示を示す図であり、（ａ）から（ｇ）は更新時間の経過に伴って変化する表示を示す。
【図９】本発明の一実施形態に係わるデジタル一眼レフカメラの撮影情報表示を示す図である。
【図１０】本発明の一実施形態に係わるデジタル一眼レフカメラの更新表示を示す図であり、（ａ）から（ｅ）はそれぞれ異なる更新時間の表示を示す。
【発明を実施するための形態】
【００１３】
以下、図面に従って本発明を適用したデジタル一眼レフカメラを用いて好ましい実施形態について説明する。図１は、本発明の一実施形態に係るデジタル一眼レフカメラについて背面からみた外観斜視図である。
【００１４】
このデジタル一眼レフカメラは、カメラ本体２００と交換レンズ１００とから構成されている。カメラ本体２００の上面にはレリーズ釦２１、撮影モードダイヤル２２、情報設定ダイヤル２４、ストロボ５０等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピント合わせ、被写体輝度の測光等の撮影準備動作を行い、第２レリーズスイッチ（以下、２Rと称する）のオンによりカメラは撮像素子２２１（図２参照）の出力に基づいて被写体像の画像データの取り込みを行う撮影動作を実行する。
【００１５】
撮影モードダイヤル２２は回転可能に構成された操作部材であり、撮影モードダイヤル２２上に設けられた撮影モードを表す絵表示または記号を指標に合致させることにより、プログラム撮影モード（Ｐ）、絞り優先撮影モード（Ａ）、シャッタ撮影優先モード（Ｓ）、マニュアル撮影モード（Ｍ）、バルブモード（Ｂ）等の各撮影モードを選択することができる。
【００１６】
情報設定ダイヤル２４は回転可能に構成された操作部材であり、情報表示画面等において、情報設定ダイヤル２４の回転操作により所望の設定値やモード等を選択することができる。バルブモードが設定されたときには、露光中の画像表示の更新時間の設定を行うことができる。ストロボ５０は、ポップアップ式の補助照明装置であり、図示しない操作釦を操作することにより、ストロボ５０がポップアップし被写体に対して照射可能となる。
【００１７】
カメラ本体２００の背面には、液晶モニタ２６、連写／単写釦２７、ＡＥロック釦２８、アップ用十字釦３０Ｕ、ダウン用十字釦３０Ｄ、右用十字釦３０Ｒ、左用十字釦３０Ｌ（これらの各十字釦３０Ｕ、３０Ｄ、３０Ｒ、３０Ｌを総称する際には、十字釦３０と称する）、ＯＫ釦３１、ライブビュー表示釦３３、拡大釦３４、メニュー釦３７、再生釦３８が配置されている。液晶モニタ２６は、ライブビュー表示を行い、また、撮影済みの被写体像を再生表示し、撮影情報やメニューを表示するための表示装置である。また、バルブ撮影時には、露光動作中に撮像素子２２１によって取得した画像信号に基づいて画像を表示する。これらの表示を行うことができるものであれば、液晶に限らない。
【００１８】
連写／単写釦２７は、レリーズ釦２１が全押しされている間は連続して撮影する連写モードと、レリーズ釦２１が全押しされると、１駒、撮影する単写モードのモード切り換え用の操作部材である。ＡＥロック釦２８は、測光値を固定するための操作部材である。これによって、撮影対象の輝度を測定した後、このＡＥロック釦２８を操作すると、構図を変更しても測光値が保持され、露光レベルが変化しないで撮影を行うことができる。
【００１９】
十字釦３０は液晶モニタ２６上で、Ｘ方向とＹ方向の２次元方向にカーソルの移動を指示するための操作部材であり、また、記録媒体２７７に記録された被写体像を再生表示するにあたって、被写体像の選択指示にも使用する。なお、アップ、ダウン、左、右用の４つの釦を設ける以外にも、タッチスイッチのように２次元上で操作方向を検出できるスイッチ等、２次元方向に操作できる操作部材に置き換えることも可能である。ＯＫ釦３１は、十字釦３０やコントロールダイヤル２４等によって選択された各種項目を確定するための操作部材である。
【００２０】
ライブビュー表示釦３３は、情報表示等の表示画面からライブビュー表示に切り換え、またはライブビュー表示から情報表示等の表示画面に切り換えるための操作釦である。なお、ライブビュー表示は、被写体像記録用の撮像素子２２１の出力に基づいて液晶モニタ２６に被写体像を観察用に表示するモードであり、情報表示はデジタル一眼レフカメラの撮影情報を表示設定するために液晶モニタ２６に表示されるモードである。拡大釦３４は、液晶モニタ２６に被写体像の一部分を拡大表示するための操作部材であり、前述の十字釦３０を操作することによって拡大位置を変更することができる。
【００２１】
メニュー釦３７は、このデジタル一眼レフカメラの各種モードを設定するためのメニューモードに切り換えるための操作部材であり、このメニュー釦３７の操作によってメニューモードを選択すると、液晶モニタ２６にメニュー画面が表示される。メニュー画面は複数の階層構造となっており、十字釦３０で各種項目を選択し、ＯＫ釦３１の操作により選択を決定する。再生釦３８は、撮影後に記録した被写体画像を液晶モニタ２６に表示させることを指示するための操作釦である。後述するＳＤＲＡＭ（Synchronous Dynamic Random Access Memory）２６７、記録媒体２７７にＪＰＥＧ等の圧縮モードで記憶されている被写体の画像データを伸張して表示する。
【００２２】
カメラ本体２００の側面には、記録媒体収納蓋４０が開閉自在に取り付けられている。この記録媒体収納蓋４０を開放すると、この内部に記録媒体２７７用の装填スロットが設けられており、記録媒体２７７はカメラ本体２００に対して、着脱自在に装填可能となっている。
【００２３】
次に、図２を用いて、デジタル一眼レフカメラの電気系を主とする全体構成を説明する。本実施形態では、交換レンズ１００とカメラ本体２００は別体で構成され、通信接点３００にて電気的に接続されているが、交換レンズ１００とカメラ本体２００を一体に構成することも可能である。なお、内蔵式のストロボ５０の回路ブロックは図２において、省略してある。
【００２４】
交換レンズ１００の内部には、焦点調節および焦点距離調節用の撮影光学系１０１と、開口量を調節するための絞り１０３が配置されている。撮影光学系１０１はレンズ駆動機構１０７によって駆動され、絞り１０３は絞り駆動機構１０９によって駆動されるよう接続されている。
【００２５】
レンズ駆動機構１０７および絞り駆動機構１０９は、それぞれレンズＣＰＵ１１１に接続されており、このレンズＣＰＵ１１１は通信接点３００を介してカメラ本体２００の通信回路２７３に接続されている。レンズＣＰＵ１１１は交換レンズ１００内の制御を行うものであり、レンズ駆動機構１０７を制御してピント合わせや、ズーム駆動を行うとともに、絞り駆動機構１０９を制御して絞り値制御を行う。また、レンズＣＰＵ１１１は、交換レンズ１００の開放絞り値や焦点距離情報等のレンズ固有情報や、光学系位置検出機構(不図示)によって検出された焦点距離や焦点位置情報を、カメラ本体２００に送信する。
【００２６】
カメラ本体２００内には、被写体像を観察光学系に反射するためにレンズ光軸に対して４５度傾いた位置（下降位置、被写体像観察位置）と、被写体像を撮像素子２２１に導くために跳ね上がった位置（上昇位置、退避位置）との間で、回動可能な可動ミラー２０１が設けられている。この可動ミラー２０１の上方には、被写体像を結像するためのフォーカシングスクリーン２０５が配置され、このフォーカシングスクリーン２０５の上方には、被写体像を左右反転させるためのペンタプリズム２０７が配置されている。
【００２７】
このペンタプリズム２０７の出射側(図２で右側)には被写体像観察用の接眼レンズ（不図示）が配置され、この脇であって被写体像の観察に邪魔にならない位置に測光センサ２１１が配置されている。この測光センサ２１１は、測光処理回路２４１に接続され、測光センサ２１１の出力は、この測光処理回路２４１によって増幅処理やアナログ−デジタル変換等の処理がなされる。
【００２８】
上述の可動ミラー２０１の中央付近はハーフミラーで構成されており、この可動ミラー２０１の背面には、ハーフミラー部で透過した被写体光をカメラ本体２００の下部に反射するためのサブミラー２０３が設けられている。このサブミラー２０３は、可動ミラー２０１に対して回動可能であり、可動ミラー２０１が跳ね上がっているときには（図２において破線位置）、ハーフミラー部を覆う位置に回動し、可動ミラー２０１が被写体像観察位置（下降位置）にあるときには、図示する如く可動ミラー２０１に対して開いた位置にある。
【００２９】
この可動ミラー２０１は可動ミラー駆動機構２３９によって駆動されている。また、サブミラー２０３の下方には焦点検出センサ２４３が配置されており、この焦点検出センサ２４３の出力は焦点検出処理回路２４５に接続されている。焦点検出センサ２４３は、撮影光学系１０１によって結像される被写体像の焦点ズレ量（デフォーカス量）を測定するために、撮影光学系１０１の周辺光束を２光束に分離する公知の位相差ＡＦ光学系と１対のセンサとから構成されている。
【００３０】
可動ミラー２０１の後方には、露光時間制御用のフォーカルプレーンタイプのシャッタ２１３が配置されており、このシャッタ２１３はシャッタ駆動機構２３７によって駆動制御される。シャッタ２１３の後方には撮像素子２２１が配置されており、撮影光学系１０１によって結像される被写体像を電気信号に光電変換する。なお、撮像素子２１１としては、ＣＣＤ（Charge Coupled Devices）またはＣＭＯＳ（Complementary Metal Oxide Semiconductor）等の二次元撮像素子を使用できることは言うまでもない。
【００３１】
前述のシャッタ２１３と撮像素子２２１の間には、被写体光束から赤外光成分と、高周波成分を除去するための光学フィルタである赤外カットフィルタ・ローパスフィルタ２１７が配置されている。
【００３２】
撮像素子２２１は撮像素子駆動回路２２３に接続され、この撮像素子駆動回路２２３によって、撮像素子２２１から画像信号の読出し等が行われる。撮像素子駆動回路２２３は、画像信号のアナログデジタル変換を行うＡＤＣ（Analogue Digital Converter）２２５に接続されている。ＡＤＣ２２５の出力は、暗電流除去回路２２７に接続されている。暗電流除去回路２２７は、撮像素子２２１で発生する暗電流を除去するための回路であり、撮像素子２２１の周辺部の遮光領域で発生した暗電流を用いて、被写体像を表す画像データを補正する。
【００３３】
暗電流除去回路２２７は、ＡＳＩＣ（Application Specific
Integrated Circuit 特定用途向け集積回路）２５０内のデータバス２５２に接続されている。このデータバス２５２には、シーケンスコントローラ(以下、「ボディＣＰＵ」と称す)２５１、画像処理回路２５７、圧縮伸張回路２５９、ビデオ信号出力回路２６１、ＳＤＲＡＭ制御回路２６５、入出力回路２７１、通信回路２７３、記録媒体制御回路２７５、フラッシュメモリ制御回路２７９、スイッチ検知回路２８３、ブザー２８７が接続されている。
【００３４】
データバス２５２に接続されているボディＣＰＵ２５１は、このデジタル一眼レフカメラの動作を制御するものである。データバス２５２に接続された画像処理回路２５７は、デジタル画像データのデジタル的増幅（デジタルゲイン調整処理）、色補正、ガンマ（γ）補正、コントラスト補正、ライブビュー表示用画像生成等の各種の画像処理を行なう。また圧縮伸張回路２５９はＳＤＲＡＭ２６７に記憶された画像データをＪＰＥＧやＴＩＦＦ等の圧縮方式で圧縮し、また、圧縮画像データを伸張するための回路である。なお、画像圧縮はＪＰＥＧやＴＩＦＦに限らず、他の圧縮方式も適用できる。
【００３５】
ビデオ信号出力回路２６１は液晶モニタ駆動回路２６３を介して液晶モニタ２６に接続される。ビデオ信号出力回路２６１は、ＳＤＲＡＭ２６７、記録媒体２７７に記憶された画像データを、液晶モニタ２６に表示するためのビデオ信号に変換するための回路である。液晶モニタ２６は、図１に示すように、カメラ本体２００の背面に配置されるが、撮影者が観察できる位置であれば、背面に限らないし、また液晶に限らず他の表示装置でも構わない。液晶モニタ２６の背面側には、液晶モニタ２６を照明する液晶モニタバックライト２６ａが配置され、液晶モニタ駆動回路２６３によって駆動制御される。
【００３６】
ＳＤＲＡＭ２６７は、ＳＤＲＡＭ制御回路２６５を介してデータバス２５２に接続されており、このＳＤＲＡＭ２６７は、画像処理回路２５７によって画像処理された画像データまたは圧縮伸張回路２５９によって圧縮された画像データを一時的に記憶するためのバッファメモリである。
【００３７】
上述の撮像素子駆動回路２２３、シャッタ駆動機構２３７、可動ミラー駆動機構２３９、測光処理回路２４１、焦点検出処理回路２４５に接続される入出力回路２７１は、データバス２５２を介してボディＣＰＵ２５１等の各回路とデータの入出力を制御する。
【００３８】
レンズＣＰＵ１１１と通信接点３００を介して接続された通信回路２７３は、データバス２５２に接続され、ボディＣＰＵ２５１等とのデータのやりとりや制御命令の通信を行う。データバス２５２に接続された記録媒体制御回路２７５は、記録媒体２７７に接続され、この記録媒体２７７への画像データ等の記録及び画像データ等の読み出しの制御を行う。
【００３９】
記録媒体２７７は、ｘＤピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。
【００４０】
フラッシュメモリ制御回路２７９は、フラッシュメモリ（Flash Memory）２８１に接続され、このフラッシュメモリ２８１は、デジタル一眼レフカメラの動作を制御するためのプログラムが記憶されており、ボディＣＰＵ２５１はこのフラッシュメモリ２８１に記憶されたプログラムに従ってデジタル一眼レフカメラの制御を行う。なお、フラッシュメモリ２８１は、電気的に書換え可能な不揮発性メモリである。
【００４１】
レリーズ釦２１の第1ストローク（半押し）を検出する１Ｒスイッチや、第２ストローク（全押し）を検出する２Ｒスイッチ、パワースイッチ、メニュー釦３７に連動するメニュースイッチ、撮影モードダイヤル２２に連動するダイヤルスイッチ、情報設定ダイヤル２４に連動するダイヤルスイッチ、その他の操作部材に連動する各種スイッチを含む各種スイッチ２８５は、スイッチ検知回路２８３を介してデータバス２５２に接続されている。ブザー２８７は発音部材であり、後述するように、バルブ撮影時に画像が更新された際に、音により告知表示を行う。
【００４２】
次に、バルブ撮影における露光中の画像表示に関連する構成について、図３を用いて説明する。制御部２９７は、デジタル一眼レフカメラ全体を制御するボディＣＰＵ２５１によって構成される。撮像部２９１は、前述の撮像素子２２１、撮像素子駆動回路２２３、ＡＤＣ回路２２５、暗電流除去回路２２７等を含み、画像信号に基づく画像データを出力する。撮像部２９１の出力は加算演算部２９４に接続されている。
【００４３】
加算演算部２９４は、バルブ撮影中に所定時間毎に取得した画像を加算演算し、加算画像データを生成する。一時記憶部２９３は、ＳＤＲＡＭ２６７等の一時記憶装置によって構成され、加算演算部２９４において演算された加算画像データを一時的に記憶し、制御部２９７からの制御命令に従って既に記憶済みの加算画像データを加算演算部２９４に供給し、新たな加算画像データを改めて記憶する。加算演算部２９４は、ボディＣＰＵ２５１および画像処理回路２５７等によって構成され、制御部２９７からの制御命令に従って一時記憶部２９３に既に記憶されている加算画像データと最新の画像データとの加算演算を行う。
【００４４】
加算画像記録部２９５は、前述した記録媒体２７７のような記録媒体によって構成され、加算演算部２９４において加算演算された最終的な加算画像データを、制御部２９７の制御命令に従って一時記憶部２９３から読み出して記憶する。画像表示部２９６は、液晶モニタ２６、液晶モニタバックライト２６ａ、液晶モニタ駆動回路２６３等によって構成され、加算演算部２９４で加算演算された加算画像データが一時記憶部２９３に更新記憶されるたびに、制御部２９７の制御命令に従って一時記憶部２９３から読み出され表示される。発音部２９８は、ブザー２８７によって構成され、画像表示部２９６に表示される加算画像が、更新されるたびに告知音によって撮影者に告知する。
【００４５】
このように構成されているので、バルブ撮影時における液晶モニタ２６での表示としては、まず、バルブ露光開始時にバルブ撮影が開始されたことを告知する告知情報３１１ａが表示される（図８（ａ））。最初の更新時間が経過すると、撮像部２９１から画像データが読み出され、加算画像（最初の段階では、最初に読み出された画像データのまま）が、告知情報３１１ｂと共に、図８（ｂ）に示すように液晶モニタ２６に表示される（この例では、更新時間が３０秒）。また、同時に、発音部２９８から画像の更新を知らせる音（例えば、「ピッ」）が発音する。
【００４６】
この後、設定された更新時間毎に、撮像部２９１によって取得された画像データが、順次、加算演算部２９４によって加算され、この加算画像は画像表示部２９６に表示される。加算画像が更新されるたびに、図８（ｃ）〜（ｇ）に示すように、告知情報３１１ｃ〜３１１ｇが重畳して表示され、また、同時に、発音部２９８によって告知音によっても告知される。また、図８（ｂ）の段階では、露光時間が十分ではないため暗い画像であるが、その後、次第に明るい画像に変化し、何度も繰り返し画像が累積加算されると、図８（ｇ）のように、露光オーバー気味の画像が表示される。なお、この告知情報３１１ｂ〜３１１ｇは、バルブ撮影を実行中であることに加えて、バルブ撮影の経過時間を表示する。
【００４７】
次に、本発明の一実施形態におけるデジタル一眼レフカメラの動作の詳細について図４乃至図７に示すフローチャートを用いて説明する。図４は、カメラ本体２００側のボディＣＰＵ２５１によるパワーオンリセットの動作である。カメラ本体２００に電池が装填されると、このフローがスタートし、カメラ本体２００のパワースイッチがオンであるか否かを判定する（＃１）。
【００４８】
判定の結果、パワースイッチがオフの場合には、低消費電力の状態であるスリープ状態となる（＃３）。このスリープ状態ではパワースイッチがオンとなった場合のみに割り込み処理を行い、ステップ＃５以下においてパワースイッチオンのための処理を行う。パワースイッチがオンとなるまでは、パワースイッチ割り込み処理以外の動作を停止し、電源電池の消耗を防止する。ステップ＃１において、パワースイッチがオンであった場合、またはステップ＃３におけるスリープ状態を脱した場合には、電源供給を開始する（＃５）。
【００４９】
次に、撮影モードダイヤル２２によって設定された撮影モードや、情報設定ダイヤル２４によって設定されたＩＳＯ感度、マニュアル設定されたシャッタ速度や絞り値等の情報があればそれらの撮影条件、およびレンズ情報の読み込みを行う（＃７）。レンズ情報の読み込みは、レンズＣＰＵ１１１から通信回路２７３を介して交換レンズ１００の開放絞り値や焦点距離情報等のレンズ固有情報の読み込みを行う。このステップで、バルブモードが設定されている場合には、この情報が読み込まれる。
【００５０】
続いて、バルブモードが設定されたか否かの判定を行う（＃９）。ステップ＃７において撮影モードを読み込んでいることから、読み込まれた撮影モードとしてバルブモードが設定されたか否かの判定を行う。判定の結果、バルブモードが設定されていなかった場合には、測光・露光量演算を行なう（＃１１）。このステップでは、測光センサ２１１によって被写体輝度を測光し、露光量を演算し、この露光量を用いて撮影モード・撮影条件に従ってシャッタ速度や絞り値等の露光制御値の演算を行う。
【００５１】
ステップ＃９における判定の結果、バルブモードが設定されていた場合には、更新時間（画像データを繰り返し出力する周期）の入力を行う（＃３１）。この更新時間の入力については、図５を用いて後述する。更新時間の入力が終わると、ステップ＃１３にジャンプする。バルブモードの場合には、測光に係わりなくユーザー操作によってシャッタ２１３の開閉が行われることから、ステップ＃１１の測光・露光量演算は実行されない。
【００５２】
次に、撮影情報を液晶モニタ２６に表示する（＃１３）。撮影情報としては、ステップ＃７において読み込んだ撮影モード・撮影条件等と、ステップ＃１１において演算したシャッタ速度や絞り値の露出制御値等である。撮影モードとして、バルブモードが設定された場合には、図９に示すように、バルブモード表示３０１や更新時間表示３０２が、他の撮影情報と共に、液晶モニタ２６上に表示される。
【００５３】
撮影情報の表示を行うと、次に、再生釦３８に連動する再生スイッチがオンか否かの判定を行う（＃１７）。再生モードは、再生釦３８が操作された際に、記録媒体２７７に記録された画像データを読み出して液晶モニタ２６に表示するモードである。判定の結果、再生スイッチがオンの場合には、再生動作を実行する（＃３３）。
【００５４】
ステップ＃１７における判定の結果、再生スイッチがオンではなかった場合には、メニュー釦３７に連動するメニュースイッチがオンか否かの判定を行なう（＃１９）。このステップでは、メニュー釦３７が操作され、メニューモードが設定されたか否かを判定する。判定の結果、メニュースイッチがオンであった場合には、液晶モニタ２６にメニュー表示し、メニュー設定動作を行う（＃３５）。メニュー設定動作によって、ＡＦモード、ホワイトバランス、ＩＳＯ感度設定、ドライブモードの設定等、各種の設定動作を行うことができる。
【００５５】
ステップ＃１９における判定の結果、メニュースイッチがオンでなかった場合には、レリーズ釦２１が半押しされたか、すなわち、１Ｒスイッチがオンか否かの判定を行う。判定の結果、１Ｒスイッチがオンであった場合には、撮影準備と撮影を行う撮影動作のサブルーチンを実行する（＃３７）。このサブルーチンの詳細は図６を用いて後述する。
【００５６】
ステップ＃２１における判定の結果、１Ｒスイッチがオンでなかった場合には、ステップ＃１と同様に、パワースイッチがオンか否かの判定を行なう（＃２３）。判定の結果、パワースイッチがオンであった場合には、ステップ＃７に戻り、前述の動作を繰り返す。一方、パワースイッチがオンではなかった場合には、電源供給を停止し（＃２５）、ステップ＃３に戻り、前述のスリープ状態となる。
【００５７】
次に、ステップ＃３１の更新時間の入力動作について、図５を用いて説明する。このサブルーチンに入ると、まず、更新時間を入力するために、情報設定ダイヤル２４が操作されたか否かの判定を行う（＃４５）。判定の結果、情報設定ダイヤル２４が操作されていなかった場合には、元のルーチンに戻る。一方、情報設定ダイヤル２４が操作されていた場合には、スイッチ検知回路２８３はその回転方向を検出する（＃４７）。
【００５８】
続いて、検出された回転方向が更新時間を減少させる方向か否かの判定を行う（＃４９）。判定の結果、更新時間を減少させる回転方向の場合には、前回の更新時間が下限値に達しているか否かの判定を行う（＃５１）。下限値は、適宜設定すればよいが、例えば０．１秒程度であればよい。判定の結果、下限値に達していなかった場合には、現在の設定状態から順に所定のステップで更新時間を短くする（＃５３）。
【００５９】
更新時間は、図９に示したように、液晶モニタ２６上の撮影情報中に更新表示３０２として表示されるが、情報設定ダイヤル２４によって更新時間を短くする方向に回転操作させるたびに、例えば、現在の設定状態が初期値の３０秒であれば、図１０の（ｃ）から（ａ）の下限値の方向に向け、所定のステップで徐々に減少する。このステップは、使い勝手を考慮して適宜決定すれば良い。更新時間短縮が終わると、元のルーチンに戻る。
【００６０】
ステップ＃４９における判定の結果、減少方向でなかった場合には、前回の更新時間が上限値に達しているか否かの判定を行う（＃５５）。上限値は適宜設定すればよいが、例えば、暗電流の影響を受けない時間程度として、９分としてもよい。判定の結果、上限値に達していなかった場合には、所定のステップで更新時間を延ばす（＃５７）。情報設定ダイヤル２４によって更新時間を長くする方向に回転操作させるたびに、現在の状態から図１０（ｅ）の上限値の方向に向け、所定のステップで徐々に増加する。更新時間伸長が終わると、元のルーチンに戻る。なお、この更新時間間隔は一例であり、適宜変更できる。
【００６１】
次に、ステップ＃３７における撮影動作について、図６を用いて説明する。このサブルーチンは、１Ｒスイッチがオンになるとスタートし、まず、液晶モニタ２６に表示されている撮影情報をオフする（＃６１）。続いて、位相差ＡＦ制御のサブルーチンを実行する（＃６３）。このサブルーチンでは、公知の位相差ＡＦにより撮影光学系１０１の焦点ズレ方向および焦点ズレ量を検出し、この焦点ズレ方向・焦点ズレ量に基づいて光学系駆動機構１０７の駆動制御を行い、撮影光学系１０１のピント合わせを行う。
【００６２】
位相差ＡＦが終わると、ステップ＃９と同様に、バルブモードが設定されているか否かを判定する（＃６５）。判定の結果、バルブモードが設定されていなかった場合には、測光・露光量演算を行い、シャッタ速度や絞り値等の露出制御値を求める（＃６７）。一方、判定の結果バルブモードが設定されていた場合には、ステップ＃６７をスキップし、ステップ＃６９に進む。バルブモードの場合には、前述したように、シャッタ２１３の開閉時間は撮影者によって決められ、測光および露光量演算は不要のためである。
【００６３】
続いて、シャッタ釦２１が全押しされたか、すなわち、２Ｒスイッチがオンか否かを判定する（＃６９）。判定の結果、２Ｒスイッチがオンとはなっていなかった場合には、１Ｒスイッチがオンか否かを判定する（＃８７）。判定の結果、１Ｒスイッチがオンではなかった場合には、撮影動作を終了して、元のルーチンに戻る。一方、判定の結果、１Ｒスイッチがオンの場合には、ステップ＃６９に戻り、１Ｒスイッチと２Ｒスイッチの状態を検出する待機状態となる。
【００６４】
ステップ＃６９における判定の結果、２Ｒスイッチがオンとなると、撮影を行なうためのステップに移る。まず、可動ミラー２０１の退避動作（上昇位置へ移動）を行う（＃７１）。これによって、撮影光学系１０１による被写体光束が撮像素子２２１の方向に導かれる。続いて、レンズＣＰＵ１１１に絞込み動作を指示し、絞り１０３の絞り込み動作を実行させる（＃７３）。
【００６５】
これで、通常の撮影動作もしくはバルブ撮影動作に入る準備ができたので、露光動作を開始する（＃７５）。露光は、シャッタ２１３の先幕の走行を開始させると共に、撮像素子２２１の電荷蓄積を開始する。ステップ＃６７で求められたシャッタ速度もしくは撮影者によって手動設定されたシャッタ速度に対応する時間が経過すると、シャッタ２１３の後幕の走行を開始させると共に、撮像素子２２１の電荷蓄積を終了する。
【００６６】
ここで、バルブモードが設定されていた場合には、レリーズ釦２１が全押しされている間、シャッタ２１３を開放状態とし、この間、撮像素子２２１によって更新時間間隔で繰り返し画像データを取得し、この画像データに基づく加算画像を液晶モニタ２６に更新しながら表示する。この露光動作の詳細は図７を用いて後述する。
【００６７】
露光動作が終了すると、絞り１０３の開放指示をレンズＣＰＵ１１１に出力し、絞り１０３を開放し（＃７７）、可動ミラー２０１を下降位置へと復帰動作を行う（＃７９）。続いて、撮像素子２２１から読み出され、画像処理された画像データを記録媒体２７７に記録し（＃８１）、液晶モニタ２６に表示していた画像の表示を停止する（＃８３）。画像表示を停止させると、元のルーチンに戻る。
【００６８】
次に、ステップ＃７５における露光動作について、図７を用いて説明する。このサブルーチンに入ると、まず、ステップ＃９と同様に、バルブモードが設定されているか否かを判定する（＃１０１）。判定の結果、バルブモードが設定されていなかった場合には、プログラム撮影モード等の通常の撮影モードを実行する。
【００６９】
通常の撮影モードとして、まず、露光時間計時用のタイマーをスタートさせ（＃１０３）、シャッタ２１３の開放と共に撮像素子２２１に撮像を開始させる（＃１０５）。すなわち、撮像素子２２１上に結像している被写体像の光電変換を行い、信号電荷の蓄積を開始させる。ステップ＃６７で演算された、もしくは手動設定されたシャッタ速度に対応する露光時間(設定秒時)が経過したか否かを判定する（＃１０７）。判定の結果、露光時間が経過すると、シャッタ２１３を閉じると共に撮像素子２２１における撮像を停止する（＃１０９）。
【００７０】
続いて、撮像素子２２１から画像信号の読み出しを行い（＃１１１）、この読み出された画像信号をＳＤＲＡＭ２６７に一時蓄積する（＃１１３）。この一時蓄積された画像信号に基づいて、液晶モニタ２６に撮影画像の表示を行う（＃１１５）。撮影画像の表示を行ったら、元のルーチンに戻る。
【００７１】
ステップ＃１０１における判定の結果、バルブモードが設定されていた場合には、はじめに、一時記憶部２９３内に用意された加算画像記憶領域をクリアし（＃１１９）、ステップ＃３１において手動入力された更新時間を設定する（＃１２０）。続いて、表示の更新時間計時用のタイマーをスタートさせ（＃１２１）、ステップ＃１０５と同様に、シャッタ２１３を開放すると共に撮像を開始する（＃１２２）。
【００７２】
続いて、図８（ａ）に示すようなバルブ撮影の告知情報３１１ａの表示を開始する（＃１２３）。すなわち、バルブ露光の開始時には、画面が真っ黒であり、何も表示されないと、撮影者はバルブ撮影による露光が開始したか否か不安になる。そこで、本実施形態においては、告知情報３１１ａを表示することにより、露光動作が開始したことを撮影者が認識できるようにしている。告知情報の表示を開始すると、次に、液晶モニタ２６を照明するために、液晶バックライト２６ａの点灯を行う（＃１２４）。これにより、液晶モニタ２６の表示画面が明るくなり、視認することができる。
【００７３】
続いて、更新時間計時用のタイマーが、ステップ＃１２０において設定された更新時間を経過した否かの判定を行う（＃１２５）。判定の結果、更新時間が経過していなかった場合には、レリーズ釦２１の全押しが解除されたか、すなわち、２Ｒスイッチがオフとなったか否かを判定する（＃１５１）。
【００７４】
判定の結果、２Ｒスイッチがオフでない場合には、次に画像表示が所定時間に亘って継続しているか否かの判定を行う（＃１６１）。このステップでは、ステップ＃１２１（２回目以降は、ステップ＃１３１）において計時動作をスタートした更新時間計時用のタイマーが所定時間、例えば、１０秒を経過したか否かの判定を行う。判定の結果、所定時間が経過していない場合には、ステップ＃１２５に戻り、液晶モニタ２６における画像表示と液晶モニタバックライト２６ａの点灯を継続する。
【００７５】
一方、判定の結果、所定時間が経過した場合には、液晶バックライト２６ａを消灯し（＃１６３）、液晶モニタ２６における加算画像の表示をオフする（＃１６５）。これは、電源消耗を防止するためであり、更新時において所定時間の間だけ、加算画像を表示するようにしている。なお、本実施形態においては、バルブ撮影の告知表示は常時、液晶モニタ２６に表示するようにしているが、ステップ＃１６５における画像表示オフの際に併せてバルブ撮影の告知表示もオフとし、液晶モニタ２６自体の電源をオフすることにより、電源消耗をさらに減少させることができる。ステップ＃１６５において、画像表示をオフすると、ステップ＃１２５に戻る。
【００７６】
ステップ＃１２５における判定の結果、更新時間が経過すると、ステップ＃１０９およびステップ＃１１１と同様に、シャッタ２１３は開のまま撮像素子２２１の撮像を停止し、画像信号の読み出しを行う（＃１２７、＃１２９）。続いて、更新カウンタに１を加算する（＃１３０）。更新カウンタはステップ＃１２１のタイマースタート時に同時にリセットされており、このステップ＃１３０を通過するたびに、１ずつ加算される。この更新カウンタのカウント値に、ステップ＃１２０で設定された更新時間を乗算することにより、バルブ撮影による露光を開始してからの累積時間を求めることができる。続いて、更新時間計時用のタイマーを再スタートさせ（＃１３１）、撮像素子２２１に撮像を開始させる（＃１３３）。
【００７７】
次に、一時記憶部２９３で直前に記憶された記憶領域から加算画像データを読み出し、この画像データとステップ＃１２９において読み出された画像データの加算演算を行う（＃１３５）。ここで得られた加算画像の画像データを、加算画像記憶用の一時記憶部２９３の記憶領域に記憶する（＃１３７）。
【００７８】
加算画像の蓄積が終わると、次に、一時記憶部２９３に一時記憶されている加算画像を液晶モニタ２６に表示する（＃１３９）。続いて、液晶モニタバックライト２６ａによって液晶モニタ２６の照明を行う（＃１４１）。前述したように、液晶モニタ２６における画像表示と、液晶モニタバックライト２６ａによる照明は、画像表示が所定時間継続されると、加算画像の表示をオフし消灯している（＃１６３、＃１６５）。
【００７９】
次に、ステップ＃１２０において設定された更新時間が、３０秒以上か否かの判定を行う（＃１４３）。判定の結果、設定更新時間が３０秒以上の場合には、発音部２９８（ブザー２８７）によって、告知音を所定時間（例えば、０．３秒）、発する。告知音を発することにより、撮影者に画像が更新したことを知らせることができる。ここで、設定更新時間が判定時間以上か否かで、告知音を発するか否か切り換えているのは、更新時間が短い場合には、告知音の発音間隔が短く、うるさく感じられるからである。この判定時間は、３０秒に限らず、適宜、変更しても良い。ステップ＃１４３における判定の結果、設定更新時間が３０秒未満の場合、または、ステップ＃１４５において告知音を発音すると、ステップ＃１２５に戻り、前述の動作を実行する。
【００８０】
ステップ＃１２２において、撮像動作が開始された初期の段階では、液晶モニタ２６には図８（ａ）に示されるように告知情報３１１ａが表示され、液晶モニタバックライト２６ａによって照明されている。ステップ＃１６１において、所定時間が経過したことが判定されると、液晶モニタバックライト２６ａによる照明が消灯される。
【００８１】
次に、ステップ＃１２５において、更新時間が経過したと判定されると、撮像画像が読み出され、このときの画像が図８（ｂ）に示されるように表示されると共に（＃１３９）、設定時間が３０秒以上であれば、発音部２９８によって告知音が発せられる（＃１４５）。また、液晶モニタバックライト２６ａによって所定時間に亘って照明される（＃１４１→＃１６１）。
【００８２】
そして、ステップ＃１２５において、更新時間が経過したと判定されるたびに、図８（ｃ）〜（ｇ）に示すように、加算画像や告知表示３１１ｃ〜３１１ｇが更新される。また、このとき同時に所定時間、告知音が発せられる。加算画像は、初期の段階では、露光量が十分ではないために、画面が暗いままであるが、累積時間が長くなるにつれ画面が明るくなるので、撮影者は、意図する明るさとなったと判断した時点でバルブ撮影を終了する。
【００８３】
なお、告知情報３１１ｂ〜３１１ｇとしては、図８に示すように、バルブ撮影を実行中である旨の表示と、バルブ撮影の累積露光時間を表示するようにしている。また、本実施形態においては、累積露光時間は、ステップ＃１３０においてカウントされる更新カウンタのカウント値と設定更新時間を用いて求めているが、これに限らず、バルブ撮影時の累積露光時間を求めるカウンタを設け、このカウンタに基づいて経過時間を表示するようにしても勿論かまわない。
【００８４】
撮影者は、意図する明るさとなった時点でレリーズ釦２１から手を離すので、ステップ＃１５１において、２Ｒスイッチがオフになったと判定されると、ステップ＃１２７と同様に、シャッタ２１３を閉じると共に撮像を停止する(＃１５３)。すなわち、露光動作を終了し、この後、元のルーチンに戻る。
【００８５】
このように、本実施形態においては、設定更新時間が経過するたびに（＃１２５→Ｙ）、撮像素子２２１での撮像が停止され、画像データが出力され、この画像データと一時記憶部２９３の記憶領域に記憶されている直前の加算画像との加算が行われ、その結果が記憶されていく。各記憶領域に記憶された加算画像は、更新時間が経過するたびに、図８に示すように、液晶モニタ２６に更新表示される。
【００８６】
また、本実施形態においては、画像が更新されるたびに、発音部２９８によって告知音が発せられ、この告知音が発せられたときに、液晶モニタ２６を観察すればよいことから、撮影者は苦痛なく観察可能である。さらに、画像が更新された後、所定時間の間のみ液晶モニタバックライト２６ａが点灯するようにしているので、電源の消耗を防止することができる。さらに、発音部２９８による告知音は、設定更新時間が短い場合には、停止するようにしているので、告知音が短時間間隔で発音することを防止することができる。
【００８７】
なお、本実施形態において、告知情報として、バルブ撮影を示す表示と、バルブ撮影開始からの経過時間を表示していたが、経過時間を省略しても構わない。また、バルブ撮影が開始されていることを示すために「バルブ露光」や「ＢＵＬＢ」の文字を表示したが、これに限らず、記号や絵記号等の他の表示でも良い。
【００８８】
また、本実施形態において、露光動作を終了する場合、ステップ＃１５３(図７)において、撮像を停止すると、元のルーチンに戻っている。しかし、このとき、撮像部２９１は撮像素子２２１に信号電荷が蓄積されていることから、この信号を読み出し、加算画像を生成し、表示するようにしてもよい。
【００８９】
さらに、本実施形態においては、バルブモードが設定された際に、加算画像を生成するようにしていたが、長時間露出を行う場合、例えば、長秒時露出を行う場合にも、加算画像を生成し、表示するようにしてもよい。
【００９０】
さらに、本実施形態においては、バルブモードが設定されると、レリーズ釦２１が全押しされ、この全押しが解除されるまで、すなわち、２Ｒスイッチがオンの間だけ、シャッタが開放され、撮像動作を行っていた。しかし、このやり方以外にも、例えば、レリーズ釦２１が全押し（第１のレリーズ操作）された際に撮像動作を開始し、レリーズ釦２１の全押しが解除されても撮像動作を続け、再びレリーズ釦２１が全押し（第１のレリーズ操作の後に行われる第２のレリーズ操作）された際に撮像動作を停止するようにしてもよい。
【００９１】
さらに、本実施形態においては、更新時間はステップ＃３１において、手動で設定するようにしていたが、これに限らず、被写体の輝度に応じて、例えば、輝度が高い場合には更新時間を短く、逆に輝度が低い場合には更新時間を長くするなど、自動的に設定するようにしても勿論かまわない。
【００９２】
さらに、本実施形態においては、デジタルカメラとして一眼レフタイプに適用した例を説明したが、本発明は一眼レフタイプ以外のコンパクトタイプ等のデジタルカメラでもよく、また、携帯電話や携帯情報端末（ＰＤＡ：Personal
Digital Assist）等に内蔵されるカメラでも勿論構わない。バルブモード等の長秒時撮影が可能な撮像装置であれば、本発明を適用することができる。
【００９３】
以上、本発明の一実施形態を用いて説明したが、本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【００９４】
２１・・・レリーズ釦、２２・・・撮影モードダイヤル、２４・・・情報設定ダイヤル、２６・・・液晶モニタ、２６ａ・・・液晶モニタバックライト、２７・・・連写／単写釦、２８・・・ＡＥロック釦、３０・・・十字釦、３０Ｕ・・・アップ用十字釦、３０Ｄ・・・ダウン用十字釦、３０Ｒ・・・右用十字釦、３０Ｌ・・・左用十字釦、３１・・・ＯＫ釦、３３・・・ライブビュー表示釦、３４・・・拡大釦、３７・・・メニュー釦、３８・・・再生釦、４０・・・メディア装填蓋、５０・・・ストロボ、１００・・・交換レンズ、１０１・・・撮影光学系、１０３・・・絞り、１０７・・・光学系駆動機構、１０９・・・絞り駆動機構、１１１・・・レンズＣＰＵ、２００・・・カメラ本体、２０１・・・可動ミラー、２０３・・・サブミラー、２０５・・・フォーカシングスクリーン、２０７・・・ペンタプリズム、２１１・・・測光センサ、２１３・・・フォーカルプレーンシャッタ、２１７・・・赤外カットフィルタ・ローパスフィルタ、２２１・・・撮像素子、２２３・・・撮像素子駆動回路、２２５・・・ＡＤＣ回路、２２７・・・暗電流除去回路、２３７・・・シャッタ駆動機構、２３９・・・可動ミラー駆動機構、２４１・・・測光処理回路、２４３・・・焦点検出センサ、２４５・・・焦点検出処理回路、２５０・・・ＡＳＩＣ、２５１・・・シーケンスコントローラ（ボディＣＰＵ）、２５２・・・データバス、２５７・・・画像処理回路、２５９・・・圧縮伸張回路、２６１・・・ビデオ信号出力回路、２６３・・・液晶モニタ駆動回路、２６５・・・ＳＤＲＡＭ検知回路、２６７・・・ＳＤＲＡＭ、２７１・・・入出力回路、２７３・・・通信回路、２７５・・・記録媒体制御回路、２７７・・・記録媒体、２７９・・・フラッシュメモリ制御回路、２８１・・・フラッシュメモリ、２８３・・・スイッチ検知回路、２８５・・・各種スイッチ、２８７・・・ブザー、２９１・・・撮像部、２９３・・・一時記憶部、２９４・・・加算演算部、２９５・・・画像記録部、２９６・・・画像表示部、２９７・・・制御部、２９８・・・発音部、３００・・・通信接点、３０１・・・バルブモード表示、３０２・・・更新時間表示、３１１ａ・・・告知情報、３１１ｂ・・・告知情報、３１１ｃ・・・告知情報、３１１ｄ・・・告知情報、３１１ｅ・・・告知情報、３１１ｆ・・・告知情報、３１１ｇ・・・告知情報
【図１】
0005425255.tif 000002
【図２】
0005425255.tif 000003
【図３】
0005425255.tif 000004
【図４】
0005425255.tif 000005
【図５】
0005425255.tif 000006
【図６】
0005425255.tif 000007
【図７】
0005425255.tif 000008
【図８】
0005425255.tif 000009
【図９】
0005425255.tif 000010
【図１０】
0005425255.tif 000011